(57)【要約】      （修正有）【課題】印刷媒体データベースの同期を適切に行う。【解決手段】印刷媒体ＤＢを有し、第２の印刷媒体ＤＢを有する印刷装置と接続された情報処理装置であって、前記第１の印刷媒体ＤＢに格納されている各印刷媒体データと前記第２の印刷媒体ＤＢに格納されている各印刷媒体データとがそれぞれ一致しているか否かを判定する第１の判定手段と、前記第１の判定手段により一致していないと判定された場合、前記第２の印刷媒体ＤＢに格納されている各印刷媒体データのそれぞれが、前記情報処理装置で利用可能であるか否かを判定する第２の判定手段と、前記第１の印刷媒体ＤＢに格納されている印刷媒体データを削除した上で、前記第２の印刷媒体ＤＢに格納されている印刷媒体データのうち、前記第２の判定手段により前記情報処理装置で利用可能であると判定された印刷媒体データを、前記第１の印刷媒体ＤＢに格納させる格納手段と、を有する。【選択図】図８
2020121565.tif 000002
【特許請求の範囲】
【請求項１】
印刷媒体の各属性を示す第１の印刷媒体データが格納されている第１の印刷媒体データベースを有し、第２の印刷媒体データが格納されている第２の印刷媒体データベースを有する印刷装置と接続された情報処理装置であって、
前記第１の印刷媒体データベースに格納されている各印刷媒体データと前記第２の印刷媒体データベースに格納されている各印刷媒体データとがそれぞれ一致しているか否かを判定する第１の判定手段と、
前記第１の判定手段により一致していないと判定された場合、前記第２の印刷媒体データベースに格納されている各印刷媒体データのそれぞれが、前記情報処理装置で利用可能であるか否かを判定する第２の判定手段と、
前記第１の印刷媒体データベースに格納されている印刷媒体データを削除した上で、前記第２の印刷媒体データベースに格納されている印刷媒体データのうち、前記第２の判定手段により前記情報処理装置で利用可能であると判定された印刷媒体データを、前記第１の印刷媒体データベースに格納させる格納手段と、
を有する情報処理装置。
【請求項２】
前記情報処理装置で利用可能である印刷媒体の分類を示す媒体分類データが格納されたリストを記憶する第２の記憶手段を有し、
前記第２の判定手段は、
前記第２の印刷媒体データベースに格納されている各印刷媒体データについて、前記印刷媒体データが示す印刷媒体が、前記リストに格納されている媒体分類データが示す分類のいずれかに属する場合、前記印刷媒体データは前記情報処理装置で利用可能であると判定する、請求項１に記載の情報処理装置。
【請求項３】
前記第１の判定手段は、
前記格納手段により前記第２の印刷媒体データが前記第１の印刷媒体データベースに格納されると、前記第２の判定手段により前記情報処理装置で利用できないと判定された前記第２の印刷媒体データを除いて、前記第１の印刷媒体データベースと前記第２の印刷媒体データとが一致しているか否かを判定する、請求項１又は２に記載の情報処理装置。
【請求項４】
前記情報処理装置で利用できない印刷媒体の印刷媒体データが格納されている対象外印刷媒体リストを記憶する第１の記憶手段と、
前記第２の判定手段により前記情報処理装置で利用できないと判定された印刷媒体データを前記対象外印刷媒体リストに格納する格納手段と、
前記第１の判定手段により一致していると判定された場合、前記対象外印刷媒体リストに格納されている印刷媒体データに含まれる所定の属性を表示させる表示制御手段と、
を有する、請求項１乃至３の何れか一項に記載の情報処理装置。
【請求項５】
前記第２の印刷媒体データベースに格納されている各印刷媒体データを前記印刷装置から受信する受信手段を有し、
前記第１の判定手段は、
前記受信手段により受信された各印刷媒体データと、前記第１の印刷媒体データベースに格納されている各印刷媒体データとがそれぞれ一致するか否かを判定する、請求項１乃至４の何れか一項に記載の情報処理装置。
【請求項６】
前記受信手段は、
前記印刷装置の起動に応じて送信された前記各印刷媒体データを受信する、請求項５に記載の情報処理装置。
【請求項７】
前記第１の判定手段により一致していないと判定された場合、前記第１の印刷媒体データベース又は前記第２の印刷媒体データベースのいずれを同期元とするかの選択を受け付ける受付手段を有し、
前記第２の判定手段は、
前記受付手段により前記第２の印刷媒体データベースを同期元とすることを示す選択を受け付けた場合、前記第２の印刷媒体データベースに格納されている各印刷媒体データのそれぞれが、前記情報処理装置で利用可能であるか否かを判定する、請求項１乃至６の何れか一項に記載の情報処理装置。
【請求項８】
印刷媒体の各属性を示す第１の印刷媒体データが格納されている第１の印刷媒体データベースを有し、第２の印刷媒体データが格納されている第２の印刷媒体データベースを有する印刷装置と接続された情報処理装置であって、
前記第１の印刷媒体データベースに格納されている各印刷媒体データと前記第２の印刷媒体データベースに格納されている各印刷媒体データとがそれぞれ一致しているか否かを判定する第１の判定手段と、
前記第１の判定手段により一致していないと判定された場合、前記第２の印刷媒体データベースに格納されている各印刷媒体データのそれぞれが、前記印刷装置で利用可能であるか否かを判定する第２の判定手段と、
前記第１の印刷媒体データベースに格納されている印刷媒体データを削除した上で、前記第２の印刷媒体データベースに格納されている印刷媒体データのうち、前記第２の判定手段により前記印刷装置で利用可能であると判定された印刷媒体データを、前記第１の印刷媒体データベースに格納させる格納手段と、
を有する情報処理装置。
【請求項９】
印刷媒体の各属性を示す第１の印刷媒体データが格納されている第１の印刷媒体データベースを有する情報処理装置と、第２の印刷媒体データが格納されている第２の印刷媒体データベースを有する印刷装置とを有する情報処理システムであって、
前記第１の印刷媒体データベースに格納されている各印刷媒体データと前記第２の印刷媒体データベースに格納されている各印刷媒体データとがそれぞれ一致しているか否かを判定する第１の判定手段と、
前記第１の判定手段により一致していないと判定された場合、前記第２の印刷媒体データベースに格納されている各印刷媒体データのそれぞれが、前記情報処理装置で利用可能であるか否かを判定する第２の判定手段と、
前記第１の印刷媒体データベースに格納されている印刷媒体データを削除した上で、前記第２の印刷媒体データベースに格納されている印刷媒体データのうち、前記第２の判定手段により前記情報処理装置で利用可能であると判定された印刷媒体データを、前記第１の印刷媒体データベースに格納させる格納手段と、
を有する情報処理システム。
【請求項１０】
印刷媒体の各属性を示す第１の印刷媒体データが格納されている第１の印刷媒体データベースを有する情報処理装置と、第２の印刷媒体データが格納されている第２の印刷媒体データベースを有する印刷装置とを有する情報処理システムに用いられる情報処理方法であって、
前記第１の印刷媒体データベースに格納されている各印刷媒体データと前記第２の印刷媒体データベースに格納されている各印刷媒体データとがそれぞれ一致しているか否かを判定する第１の判定手順と、
前記第１の判定手順により一致していないと判定された場合、前記第２の印刷媒体データベースに格納されている各印刷媒体データのそれぞれが、前記情報処理装置で利用可能であるか否かを判定する第２の判定手順と、
前記第１の印刷媒体データベースに格納されている印刷媒体データを削除した上で、前記第２の印刷媒体データベースに格納されている印刷媒体データのうち、前記第２の判定手順により前記情報処理装置で利用可能であると判定された印刷媒体データを、前記第１の印刷媒体データベースに格納させる格納手順と、
を有する情報処理方法。
【請求項１１】
印刷媒体の各属性を示す第１の印刷媒体データが格納されている第１の印刷媒体データベースを有し、第２の印刷媒体データが格納されている第２の印刷媒体データベースを有する印刷装置と接続された情報処理装置を、
前記第１の印刷媒体データベースに格納されている各印刷媒体データと前記第２の印刷媒体データベースに格納されている各印刷媒体データとがそれぞれ一致しているか否かを判定する第１の判定手段、
前記第１の判定手段により一致していないと判定された場合、前記第２の印刷媒体データベースに格納されている各印刷媒体データのそれぞれが、前記情報処理装置で利用可能であるか否かを判定する第２の判定手段、
前記第１の印刷媒体データベースに格納されている印刷媒体データを削除した上で、前記第２の印刷媒体データベースに格納されている印刷媒体データのうち、前記第２の判定手段により前記情報処理装置で利用可能であると判定された印刷媒体データを、前記第１の印刷媒体データベースに格納させる格納手段、
として機能させるためのプログラム。
【発明の詳細な説明】
【技術分野】
【０００１】
本発明は、情報処理装置、情報処理システム、情報処理方法、及びプログラムに関する。
【背景技術】
【０００２】
プロダクションプリンタ等の画像処理装置で使用される用紙には、用紙サイズや紙種、厚み、色、光沢等、様々な属性がある。このような用紙の各属性の値をユーザが設定して、用紙データとして、用紙データベースやペーパーカタログ等に登録する技術が知られている。
【０００３】
ここで、プロダクションプリンタ等の画像処理装置は、ＲＩＰ（Raster Image Processor）処理等を行う制御装置と、印刷処理を行う印刷装置とで構成される場合がある。このような場合、制御装置及び印刷装置は、互いの用紙データベースを同期させている。
【０００４】
また、画像処理装置において、制御装置又は印刷装置の交換が発生しても、交換前の制御装置又は印刷装置が利用していた用紙データを、交換後の制御装置又は印刷装置でも維持する技術が知られている（例えば特許文献１参照）。
【発明の概要】
【発明が解決しようとする課題】
【０００５】
しかしながら、上記の従来技術では、例えば、制御装置がサポートしていない用紙の用紙データが、印刷装置の用紙データベースに登録されている場合、互いの用紙データベースの同期が行えないことがあった。このため、制御装置と印刷装置との間で、用紙データベースの同期処理が完了しない場合があった。
【０００６】
本発明の実施の形態は、上記の点に鑑みてなされたもので、印刷媒体データベースの同期を適切に行うことを目的とする。
【課題を解決するための手段】
【０００７】
上記目的を達成するため、本発明の実施の形態は、印刷媒体の各属性を示す第１の印刷媒体データが格納されている第１の印刷媒体データベースを有し、第２の印刷媒体データが格納されている第２の印刷媒体データベースを有する印刷装置と接続された情報処理装置であって、前記第１の印刷媒体データベースに格納されている各印刷媒体データと前記第２の印刷媒体データベースに格納されている各印刷媒体データとがそれぞれ一致しているか否かを判定する第１の判定手段と、前記第１の判定手段により一致していないと判定された場合、前記第２の印刷媒体データベースに格納されている各印刷媒体データのそれぞれが、前記情報処理装置で利用可能であるか否かを判定する第２の判定手段と、前記第１の印刷媒体データベースに格納されている印刷媒体データを削除した上で、前記第２の印刷媒体データベースに格納されている印刷媒体データのうち、前記第２の判定手段により前記情報処理装置で利用可能であると判定された印刷媒体データを、前記第１の印刷媒体データベースに格納させる格納手段と、を有する。
【発明の効果】
【０００８】
本発明の実施の形態によれば、印刷媒体データベースの同期を適切に行うことができる。
【図面の簡単な説明】
【０００９】
【図１】本実施形態に係る印刷システムの一例のシステム構成を示す図である。
【図２】本実施形態に係る制御装置の一例のハードウェア構成を示す図である。
【図３】本実施形態に係る印刷装置の一例のハードウェア構成を示す図である。
【図４】本実施形態に係る制御装置及び印刷装置の一例の機能構成を示す図である。
【図５】サポート定形サイズリストの一例を示す図である。
【図６】制御装置の用紙データベースの一例を示す図である。
【図７】印刷装置の用紙データベースの一例を示す図である。
【図８】制御装置と印刷装置の用紙データベースを同期させる全体処理の一例を示す図である。
【図９】用紙データベースの選択画面の一例を示す図である。
【図１０】制御装置の用紙データベースを同期元として、印刷装置の用紙データベースを同期させる処理の一例を示す図である。
【図１１】印刷装置の用紙データベースを同期元として、制御装置の用紙データベースを同期させる処理の一例を示す図である。
【図１２】同期対象外リストの一例を示す図である。
【図１３】警告画面の一例を示す図である。
【発明を実施するための形態】
【００１０】
以下、本発明の実施形態について、図面を参照しながら詳細に説明する。
【００１１】
＜システム構成＞
まず、本実施形態に係る印刷システム１のシステム構成について、図１を参照しながら説明する。図１は、本実施形態に係る印刷システム１の一例のシステム構成を示す図である。
【００１２】
図１に示すように、本実施形態に係る印刷システム１は、画像処理装置１０と、１台以上の端末装置２０とを有し、ＬＡＮ（Local Area Network）等のネットワーク５０を介して通信可能に接続されている。
【００１３】
画像処理装置１０は、例えば、プロダクションプリンタ等であり、制御装置３０と印刷装置４０とが含まれる。また、制御装置３０と印刷装置４０とは、専用線６０を介して通信可能に接続されている。
【００１４】
制御装置３０は、例えば、ＤＦＥ（Digital Front End）等であり、ＲＩＰ処理等を行う情報処理装置である。制御装置３０には、ユーザにより登録された用紙の種類に関するデータ（用紙データ）を管理する用紙データベース（以降、データベースを「ＤＢ」と表す。）を有している。なお、制御装置３０は、「コントローラ」や「プリントコントローラ」とも称される。
【００１５】
印刷装置４０は、例えば、複合機やデジタル印刷機等であり、制御装置３０のＲＩＰ処理等により作成された印刷ジョブを実行して、用紙等の印刷媒体に印刷を行う画像形成装置である。印刷装置４０には、ユーザにより登録された用紙データを管理する用紙ＤＢを有している。なお、印刷装置４０は、「エンジン」や「プリントエンジン」とも称される。
【００１６】
ここで、本実施形態に係る画像処理装置１０では、例えば、画像処理装置１０の起動時に、制御装置３０の用紙ＤＢに格納されている用紙データと、印刷装置４０の用紙ＤＢに格納されている用紙データとを同期させる。このとき、本実施形態に係る画像処理装置１０は、制御装置３０がサポートしていない用紙の用紙データが、印刷装置４０の用紙ＤＢに登録されている場合でも、当該用紙データを同期の対象外とすることで、それぞれの用紙ＤＢを適切に同期させることができる。
【００１７】
端末装置２０は、ユーザが利用するノート型ＰＣ（パーソナルコンピュータ）、デスクトップ型ＰＣ、スマートフォン、タブレット端末、携帯電話等の情報処理装置である。ユーザは、端末装置２０を用いて、例えば、制御装置３０の用紙ＤＢから所望の用紙データを選択した上で、制御装置３０に対して印刷要求を行うことで、所望の電子データを印刷媒体に印刷することができる。
【００１８】
なお、図１に示す印刷システム１は、一例であって、他の構成であっても良い。例えば、印刷システム１は、端末装置２０を有しない構成であっても良い。また、例えば、印刷システム１は、複数の画像処理装置１０を有する構成であっても良い。
【００１９】
＜ハードウェア構成＞
次に、本実施形態に係る制御装置３０のハードウェア構成について、図２を参照しながら説明する。図２は、本実施形態に係る制御装置３０の一例のハードウェア構成を示す図である。
【００２０】
図２に示すように、制御装置３０は、入力装置３１と、表示装置３２と、ＲＡＭ（Random Access Memory）３３と、ＲＯＭ（Read Only Memory）３４と、ＣＰＵ（Central Processing Unit）３５とを有する。また、制御装置３０は、外部Ｉ／Ｆ３６と、通信Ｉ／Ｆ３７と、専用Ｉ／Ｆ３８と、ＨＤＤ（Hard Disk Drive）３９とを有する。さらに、これら各ハードウェアは、バスＢ１により相互に接続されている。
【００２１】
入力装置３１は、キーボードやマウス、タッチパネル等であり、各種操作を入力するのに用いられる。表示装置３２は、ディスプレイ等であり、各種の処理結果を表示する。なお、入力装置３１及び表示装置３２の少なくとも一方は、必要なときにバスＢ１に接続して利用する形態であっても良い。
【００２２】
ＲＡＭ３３は、プログラムやデータを一時保存する揮発性の半導体メモリである。ＲＯＭ３４は、電源を切ってもデータを保持することができる不揮発性の半導体メモリである。ＣＰＵ３５は、例えば、ＨＤＤ３９やＲＯＭ３４等からプログラムやデータをＲＡＭ３３上に読み出して、各種処理を実行する演算装置である。
【００２３】
外部Ｉ／Ｆ３６は、外部装置とのインタフェースである。外部装置には、例えば、ＣＤ（Compact Disk）やＤＶＤ（Digital Versatile Disk）、ＳＤメモリカード(SD memory card）、ＵＳＢメモリ（Universal Serial Bus memory）等の記録媒体３６ａがある。制御装置３０は、外部Ｉ／Ｆ３６を介して、記録媒体３６ａの読み取りや書き込みを行うことができる。
【００２４】
通信Ｉ／Ｆ３７は、制御装置３０をネットワーク５０に接続するためのインタフェースである。制御装置３０は、通信Ｉ／Ｆ３７を介して、端末装置２０から印刷要求等を受信することができる。
【００２５】
専用Ｉ／Ｆ３８は、制御装置３０を専用線６０に接続するためのインタフェースである。制御装置３０は、専用Ｉ／Ｆ３８を介して、印刷装置４０との間で用紙ＤＢを同期させるための各種データの送受信等を行うことができる。
【００２６】
ＨＤＤ３９は、プログラムやデータを格納している不揮発性のメモリである。ＨＤＤ３９に格納されるプログラムやデータには、制御装置３０の全体を制御する基本ソフトウェアであるＯＳ（Operating System）やＯＳ上で動作する各種アプリケーションプログラム等がある。
【００２７】
本実施形態に係る制御装置３０は、図２に示すハードウェア構成により、後述する各種処理を実現することができる。なお、端末装置２０は、専用Ｉ／Ｆ３８を有しない点を除けば、制御装置３０と同様のハードウェア構成を有する。
【００２８】
次に、本実施形態に係る印刷装置４０のハードウェア構成について、図３を参照しながら説明する。図３は、本実施形態に係る印刷装置４０の一例のハードウェア構成を示す図である。
【００２９】
図３に示すように、印刷装置４０は、ＲＡＭ４１と、ＲＯＭ４２と、ＣＰＵ４３と、専用Ｉ／Ｆ４４と、外部Ｉ／Ｆ４５と、操作パネル４６と、ＨＤＤ４７と、プロッタ４８とを有する。これら各ハードウェアは、バスＢ２により相互に接続されている。
【００３０】
ＲＡＭ４１は、プログラムやデータを一時保存する揮発性の半導体メモリである。ＲＯＭ４２は、電源を切ってもデータを保持することができる不揮発性の半導体メモリである。ＣＰＵ４３は、例えば、ＨＤＤ４７やＲＯＭ４２等からプログラムやデータをＲＡＭ４１上に読み出して、各種処理を実行する演算装置である。
【００３１】
専用Ｉ／Ｆ４４は、印刷装置４０を専用線６０に接続するためのインタフェースである。印刷装置４０は、専用Ｉ／Ｆ４４を介して、制御装置３０との間で用紙ＤＢを同期させるための各種データの送受信等を行うことができる。
【００３２】
外部Ｉ／Ｆ４５は、外部装置とのインタフェースである。外部装置には、例えば、ＣＤやＤＶＤ、ＳＤメモリカード、ＵＳＢメモリ等の記録媒体４５ａがある。印刷装置４０は、外部Ｉ／Ｆ４５を介して、記録媒体４５ａの読み取りや書き込みを行うことができる。
【００３３】
操作パネル４６は、各種操作を入力するためのタッチパネルと、各種の処理結果を表示するディスプレイとを備える入出力装置である。
【００３４】
ＨＤＤ４７は、プログラムやデータを格納している不揮発性のメモリである。ＨＤＤ４７に格納されるプログラムやデータには、印刷装置４０の全体を制御する基本ソフトウェアであるＯＳやＯＳ上で動作する各種アプリケーションプログラム等がある。
【００３５】
プロッタ４８は、画像形成部を備えており、用紙等の印刷媒体に出力画像を形成する。出力画像を形成する方式には、例えば、電子写真方式やインクジェット方式等がある。
【００３６】
本実施形態に係る印刷装置４０は、図３に示すハードウェア構成により、後述する各種処理を実現することができる。
【００３７】
＜機能構成＞
次に、本実施形態に係る制御装置３０及び印刷装置４０の機能構成について、図４を参照しながら説明する。図４は、本実施形態に係る制御装置３０及び印刷装置４０の一例の機能構成を示す図である。
【００３８】
図４に示すように、本実施形態に係る制御装置３０は、入力受付部３０１と、同期処理部３０２と、出力部３０３と、送受信部３０４とを有する。これら各機能部は、制御装置３０にインストールされた１以上のプログラムが、ＣＰＵ３５に実行させる処理により実現される。
【００３９】
また、本実施形態に係る制御装置３０は、サポート定形サイズリスト３１０と、同期対象外リスト３２０とを有する。これらのリストは、例えば、ＨＤＤ３９等に記憶されている。
【００４０】
さらに、本実施形態に係る制御装置３０は、用紙ＤＢ３３０を有する。当該ＤＢは、例えば、ＨＤＤ３９を用いて実現可能である。なお、当該ＤＢは、例えば、制御装置３０とネットワークを介して接続される記憶装置等を用いて実現されていても良い。
【００４１】
入力受付部３０１は、ユーザからの各種操作の入力を受け付ける。例えば、入力受付部３０１は、制御装置３０の用紙ＤＢ３３０と、後述する印刷装置４０の用紙ＤＢ４１０とを同期させる際に、用紙ＤＢ３３０又は用紙ＤＢ４１０のいずれを使用するか（すなわち、いずれのＤＢを同期元とするか）の選択操作を受け付ける。
【００４２】
同期処理部３０２は、例えば、画像処理装置１０の起動等に応じて、制御装置３０の用紙ＤＢ３３０と、印刷装置４０の用紙ＤＢ４１０とを同期させるための処理を行う。
【００４３】
出力部３０３は、各種画面を出力する。例えば、出力部３０３は、用紙ＤＢ３３０又は用紙ＤＢ４１０のいずれのＤＢを同期元とするかの選択操作をユーザが行うための選択画面を表示装置３２に出力する。
【００４４】
送受信部３０４は、用紙ＤＢ３３０と用紙ＤＢ４１０とを同期させるために、印刷装置４０との間で用紙データの送受信を行う。例えば、送受信部３０４は、印刷装置４０の用紙ＤＢ４１０に格納されている用紙データを受信する。また、例えば、送受信部３０４は、後述する取得部３０７により用紙ＤＢ３３０から用紙データが取得されると、用紙データを印刷装置４０に送信する。
【００４５】
ここで、同期処理部３０２は、同期済判定部３０５と、サポート判定部３０６と、取得部３０７と、登録部３０８とを有する。
【００４６】
同期済判定部３０５は、同期対象外リスト３２０を参照して、用紙ＤＢ３３０と用紙ＤＢ４１０とが同期しているか否かを判定する。ここで、同期対象外リスト３２０とは、印刷装置４０の用紙ＤＢ４１０に格納されている用紙データのうち、制御装置３０の用紙ＤＢ３３０に同期させない用紙データのリストである。
【００４７】
したがって、同期済判定部３０５は、同期対象外リスト３２０に格納されている用紙データを除き、用紙ＤＢ３３０に格納されている用紙データと、用紙ＤＢ４１０に格納されている用紙データとが一致しているか否かを判定する。なお、同期対象外リスト３２０の詳細については後述する。
【００４８】
サポート判定部３０６は、サポート定形サイズリスト３１０を参照して、送受信部３０４により受信した用紙データ（印刷装置４０の用紙ＤＢ４１０に格納されている用紙データ）が、制御装置３０でサポートされているか否かを判定する。
【００４９】
ここで、サポート定形サイズリスト３１０は、制御装置３０でサポートされている用紙分類（すなわち、制御装置３０で利用可能な用紙の定型サイズの分類）を示すデータ（サポート定形サイズデータ）が格納されている。サポート定形サイズリスト３１０について、図５を参照しながら説明する。図５は、サポート定形サイズリスト３１０の一例を示す図である。
【００５０】
図５に示すように、サポート定形サイズリスト３１０に格納されているサポート定形サイズデータには、制御装置３０がサポートしている定型サイズの分類の名称を示す用紙分類と、当該用紙分類の用紙サイズとが関連付けられている。このように、サポート定形サイズリスト３１０には、制御装置３０でサポートされている定型サイズの分類が管理されている。なお、サポート定形サイズリスト３１０は、例えば、制御装置３０の開発者等により予め作成される。
【００５１】
取得部３０７は、用紙ＤＢ３３０を同期元にすると選択された場合、用紙ＤＢ３３０に格納されている用紙データを取得する。なお、取得部３０７により取得された用紙データは、上述したように、送受信部３０４により印刷装置４０に送信される。これにより、印刷装置４０の用紙ＤＢ４１０は、制御装置３０の用紙ＤＢ３３０に同期される。
【００５２】
登録部３０８は、用紙ＤＢ４１０を同期元にすると選択された場合、サポート判定部３０６によりサポートされていないと判定された用紙データを除いて、印刷装置４０の用紙ＤＢ４１０を、制御装置３０の用紙ＤＢ３３０に同期させる。すなわち、登録部３０８は、用紙ＤＢ３３０に格納されている用紙データを削除した上で、送受信部３０４により受信した用紙データのうち、サポート判定部３０６によりサポートされていると判定された用紙データを用紙ＤＢ３３０に登録（格納）する。
【００５３】
ここで、用紙ＤＢ３３０には、制御装置３０のユーザにより登録された用紙データが格納されている。用紙ＤＢ３３０について、図６を参照しながら説明する。図６は、制御装置３０の用紙ＤＢ３３０の一例を示す図である。
【００５４】
図６に示すように、用紙ＤＢ３３０は、最大Ｎ件の用紙データが格納（登録）可能なＤＢである。また、用紙ＤＢ３３０に格納されている用紙データには、定型サイズ又は不定型サイズの分類の名称を示す用紙分類と、当該用紙分類の用紙サイズ、紙種、紙厚等の各属性値が関連付けられている。なお、用紙ＤＢ３３０に格納されている用紙データには、これら以外にも、例えば、色や光沢、紙送り方向等、用紙の様々な属性が関連付けられていても良い。
【００５５】
このように、用紙ＤＢ３３０には、制御装置３０のユーザにより登録された用紙データが管理されている。なお、用紙ＤＢ３３０に格納されている用紙データの紙種は、紙に限られず、例えば、布、樹脂等のシート材、プラスチック、銅箔、プリプレグ等であっても良い。すなわち、本実施形態に係る印刷システム１では、印刷媒体は紙に限られず、上記のように、布、樹脂等のシート材、プラスチック、銅箔、プリプレグ等であっても良い。
【００５６】
図４に示すように、本実施形態に係る印刷装置４０は、同期処理部４０１と、送受信部４０２とを有する。当該機能部は、印刷装置４０にインストールされた１以上のプログラムが、ＣＰＵ４３に実行させる処理により実現される。
【００５７】
また、本実施形態に係る印刷装置４０は、用紙ＤＢ４１０を有する。当該ＤＢは、例えば、ＨＤＤ４７を用いて実現可能である。なお、当該ＤＢは、印刷装置４０とネットワークを介して接続される記憶装置等を用いて実現されていても良い。
【００５８】
同期処理部４０１は、例えば、画像処理装置１０の起動等に応じて、制御装置３０の用紙ＤＢ３３０と、印刷装置４０の用紙ＤＢ４１０とを同期させるための処理を行う。
【００５９】
送受信部４０２は、用紙ＤＢ３３０と用紙ＤＢ４１０とを同期させるために、制御装置３０との間で用紙データの送受信を行う。例えば、送受信部４０２は、後述する取得部４０３により取得された用紙データを制御装置３０に送信する。また、例えば、送受信部４０２は、制御装置３０の用紙ＤＢ３３０に格納されている用紙データを受信する。
【００６０】
ここで、同期処理部４０１は、取得部４０３と、登録部４０４とを有する。取得部４０３は、例えば、画像処理装置１０の起動等に応じて、用紙ＤＢ４１０に格納されている用紙データを取得する。登録部４０４は、送受信部４０２により用紙データ（制御装置３０の用紙ＤＢ３３０に格納されている用紙データ）を受信すると、用紙ＤＢ４１０に格納されている用紙データを削除した上で、送受信部４０２により用紙データを用紙ＤＢ４１０に登録（格納）する。
【００６１】
ここで、用紙ＤＢ４１０には、印刷装置４０のユーザにより登録された用紙データが格納されている。用紙ＤＢ４１０について、図７を参照しながら説明する。図７は、印刷装置４０の用紙ＤＢ４１０の一例を示す図である。
【００６２】
図７に示すように、用紙ＤＢ４１０は、最大Ｍ件の用紙データが格納（登録）可能なＤＢである。また、用紙ＤＢ４１０に格納されている用紙データには、用紙ＤＢ３３０に格納されている用紙データと同様に、用紙分類と、当該用紙分類の用紙サイズ、紙種、紙厚等の各属性値が関連付けられている。このように、用紙ＤＢ４１０には、印刷装置４０のユーザにより登録された用紙データが管理されている。
【００６３】
＜処理の詳細＞
次に、本実施形態に係る印刷システム１において、画像処理装置１０に含まれる制御装置３０の用紙ＤＢ３３０と、印刷装置４０の用紙ＤＢ４１０とを同期させる処理について、図８を参照しながら説明する。図８は、制御装置３０と印刷装置４０の用紙ＤＢを同期させる全体処理の一例を示す図である。
【００６４】
まず、例えば、画像処理装置１０が起動等されると、印刷装置４０の取得部４０３は、用紙ＤＢ４１０に格納されている全ての用紙データを取得する。そして、印刷装置４０の送受信部４０２は、取得部４０３により取得された用紙データを制御装置３０に送信する（ステップＳ８０１）。
【００６５】
なお、画像処理装置１０の起動は、例えば、制御装置３０及び印刷装置４０の電源をユーザが投入することにより行うことができる。また、画像処理装置１０の起動は、例えば、ユーザが端末装置２０を操作することにより行うことができても良い。
【００６６】
次に、制御装置３０の同期済判定部３０５は、送受信部３０４により用紙データを受信すると、同期対象外リスト３２０に格納されている用紙データを除き、用紙ＤＢ３３０と用紙ＤＢ４１０とが同期しているか否かを判定する（ステップＳ８０２）。すなわち、同期済判定部３０５は、同期対象外リスト３２０に格納されている用紙データを除き、送受信部３０４により受信した用紙データと、用紙ＤＢ３３０に格納されている用紙データとが一致しているか否かを判定する。
【００６７】
ステップＳ８０２において、同期対象外リスト３２０に格納されている用紙データを除き、用紙ＤＢ３３０と用紙ＤＢ４１０とが同期していないと判定された場合、制御装置３０の出力部３０３は、例えば図９に示す用紙ＤＢの選択画面Ｇ１００を表示装置３２に出力する（ステップＳ８０３）。
【００６８】
ここで、同期元の用紙ＤＢを選択するための用紙ＤＢの選択画面Ｇ１００について、図９を参照しながら説明する。図９は、用紙ＤＢの選択画面Ｇ１００の一例を示す図である。
【００６９】
図９に示すように、用紙ＤＢの選択画面Ｇ１００には、制御装置３０の用紙ＤＢ３３０を同期元と選択するための選択ボタンＧ１１０と、印刷装置４０の用紙ＤＢ４１０を同期元と選択するための選択ボタンＧ１２０とが含まれる。これにより、ユーザは、制御装置３０又は印刷装置４０のいずれの用紙ＤＢを同期元とするかを選択することができる。
【００７０】
なお、本実施形態に係る印刷システム１では、図９に示す用紙ＤＢの選択画面Ｇ１００が、制御装置３０の表示装置３２に出力されるものとしたが、これに限られず、例えば、端末装置２０の表示装置に出力されても良い。
【００７１】
次に、制御装置３０の入力受付部３０１は、図９に示す用紙ＤＢの選択画面Ｇ１００で選択された同期元の用紙ＤＢが、制御装置３０の用紙ＤＢ３３０又は印刷装置４０の用紙ＤＢ４１０のいずれであるかを判定する（ステップＳ８０４）。すなわち、入力受付部３０１は、図９に示す用紙ＤＢの選択画面Ｇ１００において、選択ボタンＧ１１０又は選択ボタンＧ１２０のいずれが選択されたかを判定する。
【００７２】
ステップＳ８０４において、入力受付部３０１により用紙ＤＢ３３０が同期元として選択された場合（すなわち、選択ボタンＧ１１０が選択された場合）、制御装置３０の取得部３０７は、用紙ＤＢ３３０に格納されている全ての用紙データを取得する。そして、制御装置３０の送受信部３０４は、取得部３０７により取得された用紙データを印刷装置４０に送信する（ステップＳ８０５）。
【００７３】
次に、印刷装置４０の登録部４０４は、送受信部４０２により用紙データ（制御装置３０の用紙ＤＢ３３０に格納されている用紙データ）を受信すると、用紙ＤＢ４１０を、制御装置３０の用紙ＤＢ３３０に同期させる（ステップＳ８０６）。
【００７４】
ここで、上記のステップＳ８０６における同期処理（制御装置３０の用紙ＤＢ３３０を同期元として、印刷装置４０の用紙ＤＢ４１０を同期させる処理）について、図１０を参照しながら説明する。図１０は、制御装置３０の用紙ＤＢ３３０を同期元として、印刷装置４０の用紙ＤＢ４１０を同期させる処理の一例を示す図である。
【００７５】
まず、印刷装置４０の登録部４０４は、送受信部４０２により用紙データ（制御装置３０の用紙ＤＢ３３０に格納されている用紙データ）を受信すると、用紙ＤＢ４１０に格納されている用紙データを全て削除する（ステップＳ１００１）。
【００７６】
次に、印刷装置４０の登録部４０４は、送受信部４０２により受信した用紙データを、用紙ＤＢ４１０に登録（格納）する（ステップＳ１００２）。これにより、制御装置３０の用紙ＤＢ３３０に格納されている用紙データが、印刷装置４１の用紙ＤＢ４１０に登録される。すなわち、制御装置３０の用紙ＤＢ３３０を同期元として、当該用紙ＤＢ３３０と、印刷装置４０の用紙ＤＢ４１０とが同期される。
【００７７】
図８に戻る。ステップＳ８０４において、入力受付部３０１により用紙ＤＢ４１０が同期元として選択された場合（すなわち、選択ボタンＧ１２０が選択された場合）、制御装置３０の登録部３０８は、用紙ＤＢ３３０を、印刷装置４０の用紙ＤＢ４１０に同期させる（ステップＳ８０７）。
【００７８】
ここで、上記のステップＳ８０７における同期処理（印刷装置４０の用紙ＤＢ４１０を同期元として、制御装置３０の用紙ＤＢ３３０に同期させる処理）について、図１１を参照しながら説明する。図１１は、印刷装置４０の用紙ＤＢ４１０を同期元として、制御装置３０の用紙ＤＢ３３０を同期させる処理の一例を示す図である。
【００７９】
まず、制御装置３０の登録部３０８は、同期対象外リスト３２０をクリアする（ステップＳ１１０１）。すなわち、登録部３０８は、同期対象外リスト３２０に格納されている全ての用紙データを削除する。
【００８０】
次に、制御装置３０の登録部３０８は、用紙ＤＢ３３０に格納されている用紙データを全て削除する（ステップＳ１１０２）。
【００８１】
次に、制御装置３０の登録部３０８は、送受信部３０４により受信した用紙データ（印刷装置４０の用紙ＤＢ４１０に格納されている用紙データ）のうち、１件の用紙データを取得する（ステップＳ１１０３）。
【００８２】
次に、制御装置３０のサポート判定部３０６は、サポート定形サイズリスト３１０を参照して、上記のステップＳ１１０３で取得した用紙データがサポートされているか否かを判定する（ステップＳ１１０４）。すなわち、サポート判定部３０６は、上記のステップＳ１１０３で取得した用紙データに含まれる用紙分類及び用紙サイズが、サポート定形サイズデータとしてサポート定形サイズリスト３１０に格納されているか否かを判定する。
【００８３】
例えば、上記のステップＳ１１０３で取得した用紙データに含まれる用紙分類及び用紙サイズが「定型サイズＡ３」及び「４２００×２９７０」であるとする。この場合、当該用紙分類及び用紙サイズのサポート定形サイズデータがサポート定形サイズリスト３１０に格納されているため、サポート判定部３０６は、当該用紙データがサポートされていると判定する。
【００８４】
一方、例えば、上記のステップＳ１１０３で取得した用紙データに含まれる用紙分類及び用紙サイズが「定型サイズＣ５」及び「２２９０×１６２０」であるとする。この場合、当該用紙分類及び用紙サイズのサポート定形サイズがサポート定形サイズリスト３１０に格納されていないため、サポート判定部３０６は、当該用紙データがサポートされていないと判定する。
【００８５】
ステップＳ１１０４において、サポート判定部３０６により用紙データがサポートされていないと判定された場合、制御装置３０の登録部３０８は、当該用紙データを同期対象外リスト３２０に格納する（ステップＳ１１０５）。
【００８６】
ここで、同期対象外リスト３２０について、図１２を参照しながら説明する。図１２は、同期対象外リスト３２０の一例を示す図である。
【００８７】
図１２に示すように、同期対象外リスト３２０には、同期元が用紙ＤＢ４１０である場合において、当該用紙ＤＢ４１０に格納されている用紙データのうち、制御装置３０でサポートされていない用紙データが格納されている。すなわち、同期対象外リスト３２０には、同期元の用紙ＤＢ４１０に格納されている用紙データのうち、サポート定形サイズリスト３１０に格納されている用紙分類及び用紙サイズでない用紙データが格納される。
【００８８】
次に、制御装置３０の登録部３０８は、用紙ＤＢ３３０に登録可能な用紙データの件数（登録可能件数）を１減じる（ステップＳ１１０６）。すなわち、例えば、用紙ＤＢ３３０の登録可能件数がＮ件である場合、登録部３０８は、用紙ＤＢ３３０の登録可能件数をＮ−１件とする。なお、登録部３０８は、例えば、用紙ＤＢ３３０において、用紙データが格納されていない領域を、使用不可領域に設定することにより、登録可能件数を減じることができる。
【００８９】
一方、ステップＳ１１０４において、サポート判定部３０６により用紙データがサポートされていると判定された場合、制御装置３０の登録部３０８は、上記のステップＳ１１０３で取得した用紙データを用紙ＤＢ３３０に登録（格納）する（ステップＳ１１０７）。
【００９０】
続いて、制御装置３０の登録部３０８は、送受信部３０４により受信した用紙データ（印刷装置４０の用紙ＤＢ４１０に格納されている用紙データ）のうち、次の用紙データが存在するか否かを判定する（ステップＳ１１０８）。すなわち、登録部３０８は、送受信部３０４により受信した用紙データのうち、上記のステップＳ１１０３でＩＤがｍ（１≦ｍ≦Ｍ）である用紙データを取得した場合、ＩＤがｍ＋１である用紙データが存在するか否かを判定する。
【００９１】
ステップＳ１１０８において、次の用紙データが存在すると判定された場合、制御装置３０は、ステップＳ１１０３に戻る。一方で、ステップＳ１１０８において、次の用紙データが存在しないと判定された場合、制御装置３０は、同期処理を終了する。
【００９２】
これにより、サポート定形サイズリスト３１０に格納されている用紙分類及び用紙サイズに対応する用紙データを除いて、印刷装置４０の用紙ＤＢ４１０に格納されている用紙データが、制御装置３０の用紙ＤＢ３３０に登録される。言い換えれば、印刷装置４０の用紙ＤＢ４１０に格納されている用紙データのうち、制御装置３０がサポートしている用紙データが、用紙ＤＢ３３０に登録される。
【００９３】
図８に戻る。ステップＳ８０２において、同期対象外リスト３２０に格納されている用紙データを除き、用紙ＤＢ３３０と用紙ＤＢ４１０とが同期していると判定された場合、制御装置３０の登録部３０８は、同期対象外リスト３２０に用紙データが格納されているか否かを判定する（ステップＳ８０８）。
【００９４】
ステップＳ８０８において、同期対象外リスト３２０に用紙データが格納されていると判定された場合、制御装置３０の出力部３０３は、例えば図１３に示す警告画面Ｇ２００を表示装置３２に出力する（ステップＳ８０９）。
【００９５】
ここで、同期対象外リスト３２０に用紙データが格納されている場合において、表示装置３２に表示される警告画面Ｇ２００について、図１３を参照しながら説明する。図１３は、警告画面Ｇ２００の一例を示す図である。
【００９６】
図１３に示すように、警告画面Ｇ２００は、同期対象外リスト３２０に格納されている用紙データに含まれる用紙分類が表示される。これにより、画像処理装置１０のユーザは、制御装置３０の用紙ＤＢ３３０と、印刷装置４０の用紙ＤＢ４１０との間で、同期対象外リスト３２０に格納されている用紙データを除いて、用紙データが同期されていることを知ることができる。言い換えれば、画像処理装置１０のユーザは、制御装置３０がサポートしていない用紙分類及び用紙サイズの用紙データが、印刷装置４０の用紙ＤＢ４１０に格納されていることを知ることができる。
【００９７】
したがって、ユーザは、例えば、印刷装置４０の用紙ＤＢ４１０に格納されている用紙データを確認した上で、制御装置３０でサポートしていない用紙データの削除等を行うことができるようになる。
【００９８】
＜まとめ＞
以上のように、本実施形態に係る印刷システム１では、画像処理装置１０に含まれる制御装置３０及び印刷装置４０の間で、用紙ＤＢ３３０及び用紙ＤＢ４１０を同期させることができる。
【００９９】
このとき、本実施形態に係る画像処理装置１０は、同期元が用紙ＤＢ３３０である場合には、用紙ＤＢ３３０の用紙データを、用紙ＤＢ４１０に格納させることで、用紙ＤＢ３３０と用紙ＤＢ４１０を同期させる。
【０１００】
一方で、本実施形態に係る画像処理装置１０は、同期元が用紙ＤＢ４１０である場合には、用紙ＤＢ４１０の用紙データのうち、制御装置３０がサポートしている用紙データを用紙ＤＢ３３０に格納させることで、用紙ＤＢ３３０と用紙ＤＢ４１０を同期させる。しかも、本実施形態に係る画像処理装置１０は、用紙ＤＢ４１０の用紙データのうち、制御装置３０がサポートしていない用紙データを同期対象外リスト３２０に格納することで、用紙ＤＢ３３０と用紙ＤＢ４１０の同期判定（図８のステップＳ８０２）の対象外とする。
【０１０１】
これにより、本実施形態に係る印刷システム１では、画像処理装置１０に含まれる制御装置３０及び印刷装置４０の間で、制御装置３０がサポートしていない用紙データを除いて、適切に用紙データの同期を行うことができるようになる。
【０１０２】
以上、本発明の実施形態について詳述したが、本発明は斯かる特定の実施形態に限定されるものではなく、特許請求の範囲に記載された本発明の要旨の範囲内において、種々の変形や変更が可能である。
【符号の説明】
【０１０３】
１        印刷システム
１０      画像処理装置
２０      端末装置
３０      制御装置
４０      印刷装置
５０      ネットワーク
６０      専用線
３０１    入力受付部
３０２    同期処理部
３０３    出力部
３０４    送受信部
３０５    同期済判定部
３０６    サポート判定部
３０７    取得部
３０８    登録部
３１０    サポート定形サイズリスト
３２０    同期対象外リスト
３３０    用紙ＤＢ
４０１    同期処理部
４０２    送受信部
４０３    取得部
４０４    登録部
４１０    用紙ＤＢ
【先行技術文献】
【特許文献】
【０１０４】
【特許文献１】特許第４８１７９３３号公報
【図１】
2020121565.tif 000003
【図２】
2020121565.tif 000004
【図３】
2020121565.tif 000005
【図４】
2020121565.tif 000006
【図５】
2020121565.tif 000007
【図６】
2020121565.tif 000008
【図７】
2020121565.tif 000009
【図８】
2020121565.tif 000010
【図９】
2020121565.tif 000011
【図１０】
2020121565.tif 000012
【図１１】
2020121565.tif 000013
【図１２】
2020121565.tif 000014
【図１３】
2020121565.tif 000015